(57)【要約】【課題】配管の接続部の破損を防止する。【解決手段】室内機１は、冷媒回路の一部を構成する第１冷媒配管を有する本体部１１と、輻射板３１に固定され、冷媒回路の他の一部を構成する第２冷媒配管３２を有し、本体部に対して取り付け可能な輻射パネル３０とを備えており、第１冷媒配管の第１接続部と第２冷媒配管３２の第２接続部３２ａとは、同軸上において固定可能である。輻射パネル３０は、突起部３７Ｒを有し、本体部１１は、突起部３７Ｒが第２接続部３２ａの軸方向に沿って移動可能に係合される係合溝１６Ｒを有している。室内機１は、突起部３７Ｒが係合溝１６Ｒに係合した状態で係合溝１６Ｒに沿って移動することによって、第１接続部と第２接続部３２ａとが同軸上において離れた第１係合状態から、第１接続部と第２接続部３２ａとが同軸上において接触した第２係合状態に変化するように構成されている。【選択図】図１０
2012149804.tif 000002
【特許請求の範囲】
【請求項１】
冷媒回路の一部を構成する第１冷媒配管を有する本体部と、
輻射板に固定され、冷媒回路の他の一部を構成する第２冷媒配管を有し、前記本体部に対して取り付け可能な輻射パネルとを備え、
前記第１冷媒配管の前記第１接続部と前記第２冷媒配管の第２接続部とが、同軸上において固定可能であって、
前記輻射パネルは、第１係合部を有し、
前記本体部は、前記第１係合部が前記第１接続部の軸方向に沿って移動可能に係合される第２係合部を有しており、
前記第１係合部が前記第２係合部に係合した状態で前記第２係合部に沿って移動することによって、前記第１接続部と前記第２接続部とが同軸上において離れた第１係合状態から、前記第１接続部と前記第２接続部とが同軸上において接触した第２係合状態に変化するように構成されていることを特徴とする室内機。
【請求項２】
前記輻射パネルが、第１係合部として、その幅方向両端部に設けられた２つの突起部を有し、
前記本体部が、前記第２係合部として、その幅方向両端部において上下方向に延在し且つ前記２つの突起部が係合される２つの溝を有しており、
前記第１係合部が前記第２係合部に係合された状態では、前記輻射パネルが前記本体部に対して左右方向に移動しないように構成されていることを特徴とする請求項１に記載の室内機。
【請求項３】
前記冷媒回路の一部を構成する室内熱交換器を備え、
前記第１冷媒配管は、前記室内熱交換器に接続されたものであることを特徴とする請求項１または２に記載の室内機。
【請求項４】
前記本体部は、室外機と接続するための２つの連結管がそれぞれ接続される第１連結部と第２連結部とを有し、
前記第１冷媒配管と前記第２冷媒配管とが固定された場合に、
前記第１連結部と前記第２連結部とを接続すると共に、前記室内熱交換器が設けられた第１流路と、
前記第１流路における前記第１連結部と前記室内熱交換器との間の分岐部と、前記第２連結部と前記室内熱交換器との間の合流部とを接続すると共に、前記輻射パネルが設けられた第２流路とが構成されることを特徴とする請求項３に記載の室内機。
【発明の詳細な説明】
【技術分野】
【０００１】
本発明は、輻射パネルが本体部に対して着脱可能に設けられた室内機に関する。
【背景技術】
【０００２】
空気調和機の室内機として、輻射パネルを備えたものが知られている（例えば特許文献１参照）。輻射パネルは、ケーシングの表面に配置される輻射板と、輻射板の背面に固定されるパネル配管とを有する。輻射板は、熱伝導性の高い材料で形成されており、パネル配管に供給される冷媒の熱が、輻射板を介して室内に輻射されることで輻射暖房が行われる。
【先行技術文献】
【特許文献】
【０００３】
【特許文献１】特開昭６２−１７５５３８号公報
【発明の概要】
【発明が解決しようとする課題】
【０００４】
輻射パネルが室内機の本体部に対して取り付けられる際に、輻射パネルのパネル配管の端部が、本体部に設けられた本体配管の端部に突き合わされて接続される場合がある。この構成の室内機において、輻射パネルを本体部に取り付ける際に、パネル配管と本体配管の一方の端部を、他方の端部付近の側面に衝突させてしまった場合には、パネル配管の端部または本体配管の端部が変形して破損するという問題が生じる。
【０００５】
そこで、本発明の目的は、配管の接続部の破損を防止できる室内機を提供することである。
【課題を解決するための手段】
【０００６】
第１の発明に係る室内機は、冷媒回路の一部を構成する第１冷媒配管を有する本体部と、輻射板に固定され、冷媒回路の他の一部を構成する第２冷媒配管を有し、前記本体部に対して取り付け可能な輻射パネルとを備え、前記第１冷媒配管の前記第１接続部と前記第２冷媒配管の第２接続部とが、同軸上において固定可能であって、前記輻射パネルは、第１係合部を有し、前記本体部は、前記第１係合部が前記第１接続部の軸方向に沿って移動可能に係合される第２係合部を有しており、前記第１係合部が前記第２係合部に係合した状態で前記第２係合部に沿って移動することによって、前記第１接続部と前記第２接続部とが同軸上において離れた第１係合状態から、前記第１接続部と前記第２接続部とが同軸上において接触した第２係合状態に変化するように構成されていることを特徴とする。
【０００７】
この室内機では、輻射パネルを本体部に取り付ける際、第１係合部と第２係合部とが係合し、且つ、輻射パネルの配管の接続部と本体部の配管の接続部とが同軸上で離間して配置された状態（第１係合状態）から、第１係合部を第２係合部に沿って移動させることで、輻射パネルの配管の接続部が軸方向に移動して本体部の配管の接続部に突き合わされる。したがって、輻射パネルを本体部に取り付ける際に、輻射パネルの配管と本体部の配管の一方の接続部が他方の側面と衝突するのを防止できるため、配管の接続部の破損を防止できる。
【０００８】
第２の発明に係る室内機は、第１の発明において、前記輻射パネルが、第１係合部として、その幅方向両端部に設けられた２つの突起部を有し、前記本体部が、前記第２係合部として、その幅方向両端部において上下方向に延在し且つ前記２つの突起部が係合される２つの溝を有しており、前記第１係合部が前記第２係合部に係合された状態では、前記輻射パネルが前記本体部に対して左右方向に移動しないように構成されていることを特徴とする。
【０００９】
この室内機では、第１係合部が輻射パネルの幅方向両端部に設けられているため、第１係合部と第２係合部とを係合させつつ、輻射パネルを第２係合部に沿って移動させたとき、輻射パネルを安定して移動させることができる。
なお、本発明における上下方向および左右方向とは、室内に設置された状態の室内機の上下方向および左右方向を示し、輻射パネルを本体部に取り付ける状態での室内機の方向ではない。
【００１０】
第３の発明に係る室内機は、第１または第２の発明において、前記冷媒回路の一部を構成する室内熱交換器を備え、前記第１冷媒配管は、前記室内熱交換器に接続されたものであることを特徴とする。
【００１１】
この室内機では、第１冷媒配管と第２冷媒配管とを接続することによって、本体部に設けられた第１冷媒配管が、輻射パネルと室内熱交換器とのいずれにも接続される。したがって、第１冷媒配管を室外機に接続すると共に、第１冷媒配管において分岐させることで、室外機から供給された冷媒を輻射パネルと室内熱交換器に循環供給できる。
【００１２】
第４の発明に係る室内機は、第３の発明において、前記本体部は、室外機と接続するための２つの連結管がそれぞれ接続される第１連結部と第２連結部とを有し、前記第１冷媒配管と前記第２冷媒配管とが固定された場合に、前記第１連結部と前記第２連結部とを接続すると共に、前記室内熱交換器が設けられた第１流路と、前記第１流路における前記第１連結部と前記室内熱交換器との間の分岐部と、前記第２連結部と前記室内熱交換器との間の合流部とを接続すると共に、前記輻射パネルが設けられた第２流路とが構成されることを特徴とする。
【００１３】
この室内機では、輻射パネルと室内熱交換器とが並列に接続されているため、弁機構を１つ設けるだけで、輻射パネルと室内熱交換器のいずれか一方にのみ冷媒を流して他方に冷媒を流さないようにできる。
【発明の効果】
【００１４】
以上の説明に述べたように、本発明によれば、以下の効果が得られる。
【００１５】
第１の発明では、輻射パネルを本体部に取り付ける際、第１係合部と第２係合部とが係合し、且つ、輻射パネルの配管の接続部と本体部の配管の接続部とが同軸上で離間して配置された状態（第１係合状態）から、第１係合部を第２係合部に沿って移動させることで、輻射パネルの配管の接続部が軸方向に移動して本体部の配管の接続部に突き合わされる。したがって、輻射パネルを本体部に取り付ける際に、輻射パネルの配管と本体部の配管の一方の接続部が他方の側面と衝突するのを防止できるため、配管の接続部の破損を防止できる。
【００１６】
第２の発明では、第１係合部が輻射パネルの幅方向両端部に設けられているため、第１係合部と第２係合部とを係合させつつ、輻射パネルを第２係合部に沿って移動させたとき、輻射パネルを安定して移動させることができる。
【００１７】
第３の発明では、第１冷媒配管と第２冷媒配管とを接続することによって、本体部に設けられた第１冷媒配管が、輻射パネルと室内熱交換器とのいずれにも接続される。したがって、第１冷媒配管を室外機に接続すると共に、第１冷媒配管において分岐させることで、室外機から供給された冷媒を輻射パネルと室内熱交換器に循環供給できる。
【００１８】
第４の発明では、輻射パネルと室内熱交換器とが並列に接続されているため、弁機構を１つ設けるだけで、輻射パネルと室内熱交換器のいずれか一方にのみ冷媒を流して他方に冷媒を流さないようにできる。
【図面の簡単な説明】
【００１９】
【図１】本発明の実施形態に係る室内機を備えた空気調和機の回路図である。
【図２】本発明の実施形態に係る室内機の斜視図である。
【図３】図２のＡ−Ａ線断面図である。
【図４】図２に示す室内機の部分分解斜視図である。
【図５】輻射パネルを取り付ける前の状態を示す正面図である。
【図６】輻射パネルが取り付けられた後の状態を示す正面図である。
【図７】（ａ）は輻射パネルの背面図であり、（ｂ）は（ａ）の上視図である。
【図８】図７（ａ）のＢ−Ｂ線断面図である。
【図９】輻射パネルを背面側から視た斜視図である。
【図１０】輻射パネルを取り付ける直前の状態を示す部分拡大斜視図である。
【図１１】ケーシングの部分拡大斜視図である。
【図１２】室内機の右側面図であって、（ａ）は輻射パネルを取り付ける直前の状態を示し、（ｂ）は第１係合状態を示し、（ｃ）は第２係合状態を示す。
【図１３】輻射パネルを取り付ける途中の第１係合状態を示す正面図である。
【発明を実施するための形態】
【００２０】
以下、本発明の実施形態に係る床置き室内機１（以下、単に「室内機１」と称する）について説明する。図１に示すように、本実施形態の室内機１は、室外機８と共に空気調和機１００を構成する。
【００２１】
＜空気調和機１００の概略構成＞
まず、空気調和機１００の概略構成について説明する。
室内機１は、室内熱交換器２０と、室内熱交換器２０の近傍に配置された室内ファン２１と、輻射パネル３０と、室内電動弁２２とを備えている。室外機８は、圧縮機８１と、四路切換弁８２と、室外熱交換器８３と、室外熱交換器８３の近傍に配置された室外ファン８４と、室外電動弁８５とを備えている。
【００２２】
室内熱交換器２０、輻射パネル３０、圧縮機８１、四路切換弁８２、室外熱交換器８３、室外電動弁８５は冷媒回路２によって接続されている。四路切換弁８２を切り換えることにより、圧縮機８１の吐出側と吸入側のいずれかが室外熱交換器８３が接続される。冷媒回路２における圧縮機８１の吸入側と四路切換弁８２との間には、アキュムレータ８６が介設されている。
【００２３】
室内機１と室外機８とは２つの連結管３ａ、３ｂで接続されており、室内機１は、は２つの連結管３ａ、３ｂがそれぞれ接続される第１連結部４ａと第２連結部４ｂとを有する。また、室内機１は、第１連結部４ａと第２連結部４ｂとを接続すると共に、室内熱交換器２０が設けられた第１流路５を有する。また、室内機１は、第１流路５における第１連結部４ａと室内熱交換器２０との間の分岐部７ａと、第２連結部４ｂと室内熱交換器２０との間の合流部７ｂとを接続する第２流路６を有する。第２流路６には、輻射パネル３０と室内電動弁２２が設けられている。連結管３ａ、３ｂ、第１流路５、および第２流路６は、冷媒回路２の一部を構成している。
【００２４】
室内熱交換器２０は、冷媒回路２の一部を構成しており、室内ファン２１の風上側に配置されている。室内熱交換器２０との熱交換により加熱または冷却された空気が、室内ファン２１によって温風または冷風として室内に吹き出されることで、温風暖房または冷房が行われる。
【００２５】
輻射パネル３０は、室内機１の表面に配置されており、その背面側には、冷媒回路２の一部を構成する配管（後述するパネル配管３２）が設けられている。したがって、室内機１では、この配管を流れる冷媒の熱が、室内に輻射されることで輻射暖房が行われる。室内電動弁２２は、輻射パネル３０に供給される冷媒の流量を調整するために設けられている。
【００２６】
空気調和機１００は、冷房運転、温風暖房運転、輻射暖房運転を行うことができる。冷房運転は、輻射パネル３０に冷媒を流さないで室内熱交換器２０に冷媒を流して冷房を行う運転であって、温風暖房運転は、輻射パネル３０に冷媒を流さないで室内熱交換器２０に冷媒を流して温風暖房を行う運転である。輻射暖房運転は、室内熱交換器２０に冷媒を流して温風暖房を行うと共に、輻射パネル３０に冷媒を流して輻射暖房を行う運転である。
【００２７】
各運転時における冷媒回路２の冷媒の流れについて図１を用いて説明する。
冷房運転時には、室内電動弁２２が閉弁されると共に、四路切換弁８２が図１（ａ）中破線で示す状態に切り換えられる。そのため、図１（ａ）中破線の矢印で示すように、圧縮機８１から吐出された高温高圧冷媒は、四路切換弁８２を通って、室外熱交換器８３に流入する。そして、室外熱交換器８３において凝縮した冷媒は、室外電動弁８５で減圧された後、室内熱交換器２０に流入する。そして、室内熱交換器２０において蒸発した冷媒は、四路切換弁８２およびアキュムレータ８６を介して、圧縮機８１に流入する。
【００２８】
温風暖房運転時には、室内電動弁２２が閉弁されると共に、四路切換弁８２が図１（ａ）中実線で示す状態に切り換えられる。そのため、図１（ａ）中実線の矢印で示すように、圧縮機８１から吐出された高温高圧冷媒は、四路切換弁８２を通って、室内熱交換器２０に流入する。そして、室内熱交換器２０において凝縮した冷媒は、室外電動弁８５で減圧された後、室外熱交換器８３に流入する。そして、室外熱交換器８３において蒸発した冷媒は、四路切換弁８２およびアキュムレータ８６を介して、圧縮機８１に流入する。
【００２９】
輻射暖房運転時には、室内電動弁２２が開弁されると共に、四路切換弁８２が図１（ｂ）中実線で示す状態に切り換えられる。そのため、図１（ｂ）中実線の矢印で示すように、圧縮機８１から吐出された高温高圧冷媒は、四路切換弁８２を通って、室内熱交換器２０と輻射パネル３０に流入する。そして、室内熱交換器２０と輻射パネル３０において凝縮した冷媒は、室外電動弁８５で減圧された後、室外熱交換器８３に流入する。そして、室外熱交換器８３において蒸発した冷媒は、四路切換弁８２およびアキュムレータ８６を介して、圧縮機８１に流入する。
【００３０】
＜室内機１の構成＞
次に、室内機１の構成について説明する。
図２に示すように、本実施形態の室内機１は、直方体形状を有しており、室内の床面から浮かした状態で壁面に据え付けられる。本実施形態においては、室内機１の床面からの高さＨ（図２参照）は１０ｃｍ程度である。なお、以下の説明において、室内機１が取り付けられる壁から突出する方向を「前方」と称し、その反対の方向を「後方」と称する。また、図２に示す左右方向および上下方向を単に「左右方向」、「上下方向」と称する。
【００３１】
図３に示すように、室内機１は、ケーシング１０と、ケーシング１０内に収容された室内ファン２１および室内熱交換器２０などの内部機器と前面グリル２３とを主に備えている。ケーシング１０の前面の一部は、輻射パネル３０で構成されている。この室内機１においては、室内ファン２１の駆動により、ケーシング１０の下壁に形成された主吸込口１０ａから床面近傍にある空気を吸い込みつつ、ケーシング１０の前壁に形成された補助吸込口１０ｂ、１０ｃからも空気を吸い込む。吸い込まれた空気は、室内熱交換器２０において加熱または冷却された後、ケーシング１０の上壁に形成された吹出口１０ｄから室内に吹き出される。
【００３２】
図３に示すように、ケーシング１０は、本体フレーム１１、吹出口カバー１２、輻射パネル３０、および開閉パネル１３を有する。図２および図３に示すように、ケーシング１０の前面は、上から順に、吹出口カバー１２の前面パネル部１２ａと、輻射パネル３０の輻射板３１と、開閉パネル１３で構成されている。ケーシング１０の前面の左右両端部は、後方に向かって緩やかに傾斜している。
【００３３】
本体フレーム１１は、壁面に取り付けられるものであり、上述の各種内部機器を支持している。図４に示すように、本体フレーム１１は、前方が開放した略矩形状の箱体であって、合成樹脂材料で形成されている。吹出口カバー１２、輻射パネル３０、および前面グリル２３は、内部機器を支持している状態の本体フレーム１１に取り付けられる。
【００３４】
図３に示すように、吹出口カバー１２は、本体フレーム１１の上端部に取り付けられており、その上壁に左右方向に長い矩形状の開口である吹出口１０ｄが形成されている。この吹出口カバー１２の下方に輻射パネル３０が配置されている。
【００３５】
図３に示すように、開閉パネル１３は、輻射パネル３０の輻射板３１の下方に配置されており、前面グリル２３に対して着脱可能に取り付けられる。開閉パネル１３を取り外すことにより、上部フィルタ２４および下部フィルタ２５の着脱を行うことができる。また、輻射パネル３０の輻射板３１と開閉パネル１３との間には、左右方向（水平方向）に長いスリット状の開口である補助吸込口１０ｂが形成されている。開閉パネル１３の上端近傍には、左右方向に長いスリット状の開口である補助吸込口１０ｃが形成されている。また、開閉パネル１３の下端と本体フレーム１１との間には、左右方向に長い開口である主吸込口１０ａが形成されている。
【００３６】
ここで、ケーシング１０内に収容される各部材について説明する。
図３に示すように、室内ファン２１は、ケーシング１０の高さ方向中央部分のやや上方において、その軸方向が左右方向に沿うように配置されている。室内ファン２１は、クロスフローファンで構成されており、下前方から空気を吸い込んで、上後方に吹き出すようになっている。
【００３７】
図３に示すように、室内熱交換器２０は、室内ファン２１の前方と下方とを取り囲むようにＶ字状に配置された前面熱交換器２０ａと背面熱交換器２０ｂで構成されている。室内熱交換器２０の下方には、左右方向に延在するドレンパン２６が配置されている。
【００３８】
また、図４および図５に示すように、正面視における室内熱交換器２０の右側には、室内熱交換器２０に接続された配管（第１冷媒配管）２７が配置されている。配管２７は、冷媒回路２の一部を構成する配管であって、配管２７の途中には、室内電動弁２２が設けられている。配管２７は、室内機１と室外機８とを接続する２つの連結管３ａ、３ｂ（図１参照）に、図示しない配管を介して接続される。
【００３９】
また、図５および図６に示すように、配管２７は、輻射パネル３０の後述するパネル配管（第２冷媒配管）３２の接続部３２ａ（第２接続部）に接続される２つの接続部（第１接続部）２７ａを有する。２つの接続部２７ａは、鉛直上方に延在している。なお、図６では、配管２７の一部を省略して表示している。
【００４０】
図３に示すように、室内ファン２１の上方には、吹出口ユニット２８が配置されている。吹出口ユニット２８は、吹出口カバー１２で覆われており、室内ファン２１から吹き出された空気を吹出口カバー１２に形成された吹出口１０ｄへと導くものである。吹出口ユニット２８は、吹出口１０ｄの近傍に配置される水平フラップ２８ａを備えている。水平フラップ２８ａは、吹出口１０ｄから吹き出される空気流の上下方向の風向きを変更すると共に、吹出口１０ｄの開閉を行う。
【００４１】
図３に示すように、前面グリル２３は、前面熱交換器２０ａの上下方向略中央部分から、本体フレーム１１の下端までを覆うように、本体フレーム１１に取り付けられている。また、図３に示すように、前面グリル２３は、上部フィルタ２４および下部フィルタ２５を保持するためのフィルタ保持部２３ａを有している。
【００４２】
輻射パネル３０は、ケーシング１０の前面部の一部を構成している。図５および図６に示すように、輻射パネル３０は、吹出口ユニット２８、室内ファン２１、室内熱交換器２０および配管２７が取り付けられた状態の本体フレーム１１に取り付け可能となっている。本実施形態では、本体フレーム１１、室内熱交換器２０、および配管２７が本発明の本体部を構成している。
【００４３】
図７〜図９に示すように、輻射パネル３０は、輻射板３１と、パネル配管（第２冷媒配管）３２と、カバー部材３３と、配管固定部材３４と、２つの取付部材３５Ｌ、３５Ｒと、サイドパネル３６Ｌ、３６Ｒとを備えている。なお、図７〜図９中に示す上下方向、左右方向および前後方向は、室内機１が壁面に据え付けられた状態での各方向を示している。また、図９は、カバー部材３３と配管固定部材３４を省略して表示している。
【００４４】
輻射板３１は、ケーシング１０の前面の一部を構成する。図２に示すように、輻射板３１は、左右方向に長い略矩形板状の部材であって、その左右両端部は、後方に向かって緩やかに傾斜している。輻射板３１は、アルミニウム等の熱伝導性の高い材料で形成されている。
【００４５】
パネル配管３２は、冷媒回路２の一部を構成する配管であり、輻射板３１の背面に固定されている。図７に示すように、パネル配管３２は、輻射板３１の背面に対向する部分が、略Ｕ字状に形成されている。パネル配管３２の両端部３２ａ（以下、接続部３２ａという）とその近傍部は、輻射板３１の正面視右側端部から下方に突出しており、接続部３２ａは鉛直下方に延在している。
【００４６】
図６に示すように、接続部（第１接続部）３２ａは、配管２７の接続部２７ａ（第２接続部）に固定可能である。詳細には、接続部３２ａに設けられた管軸方向に移動可能なナットを、接続部２７ａの外周面に形成されたネジ溝に螺合することで、接続部２７ａと接続部３２ａとは同軸上において固定可能である。なお、図６では、左側の接続部３２ａが接続部２７ａに固定されており、右側の接続部３２ａが接続部２７ａに固定されていない状態を表示している。
【００４７】
図３に示すように、カバー部材３３は、輻射板３１の背面側においてパネル配管３２から離れた状態でパネル配管３２を覆うように輻射板３１に取り付けられる。したがって、輻射板３１とカバー部材３３との間には空間が形成されており、この空間内の空気による断熱作用により、パネル配管３２の熱がカバー部材３３の外側の空間に放熱するのを防止している。カバー部材３３は、上下両端部において、輻射板３１の上下両端部にネジで固定される。また、カバー部材３３の背面部には、上部フィルタ２４の上端部を保持するフィルタ保持部３３ａが形成されている。
【００４８】
図７および図９に示すように、２つの取付部材３５Ｌ、３５Ｒは、輻射板３１の背面の左右両端近傍に固定されている。取付部材３５Ｌと取付部材３５Ｒとは左右対称に形成されている。図７に示すように、取付部材３５Ｌ、３５Ｒの後端部（輻射板３１と反対側の端部）の上下方向長さは、輻射板３１の上下方向長さよりも長く、取付部材３５Ｌ、３５Ｒの後端部は、輻射板３１の上下両端から突出している。取付部材３５Ｌ、３５Ｒの後端部における上下両端部には、ネジ孔３５ａが形成されている。図６および図１０に示すように、取付部材３５Ｌ、３５Ｒの後端部は、本体フレーム１１の左右側壁１１Ｌ、１１Ｒの固定部１５Ｌ、１５Ｒにネジ止めされる。図５に示すように、固定部１５Ｌ、１５Ｒは左右対称に形成されており、それぞれ上下２つのネジ孔１５ａが形成されている。
【００４９】
サイドパネル３６Ｌ、３６Ｒは、ケーシング１０の左右側面の一部を構成する。
サイドパネル３６Ｌ、３６Ｒは、輻射板３１の左右両端部に配置されており、その前端部が取付部材３５Ｌ、３５Ｒに固定されている。サイドパネル３６Ｌとサイドパネル３６Ｒとは左右対称に形成されている。
【００５０】
図７〜図９に示すように、サイドパネル３６Ｌの裏面（ケーシング１０の表面を構成する面と反対側の面）には、本体フレーム１１の後述する係合溝１６Ｌに係合する２つの突起部３７Ｌが、上下に並んで設けられており、サイドパネル３６Ｒの裏面（ケーシング１０の表面を構成する面と反対側の面）には、本体フレーム１１の後述する係合溝１６Ｒに係合する２つの突起部３７Ｒが、上下に並んで設けられている。図１０に示すように、突起部３７Ｌ、３７Ｒの先端部３８は、左右方向幅がほぼ一定で、後方に向かって突出している。突起部３７Ｌ、３７Ｒは、この先端部３８において、係合溝１６Ｌ、１６Ｒに係合する。
【００５１】
ここで、突起部３７Ｌ、３７Ｒが係合される本体フレーム１１の係合溝１６Ｌ、１６Ｒの構成について説明する。
図１１に示すように、本体フレーム１１の右側壁１１Ｒには、２つの係合溝１６Ｒが上下に並んで設けられている。また、図５に示すように、本体フレーム１１の左側壁１１Ｌには、係合溝１６Ｒと左右対称に形成された２つの係合溝１６Ｌが設けられている。以下、右側壁１１Ｒに設けられた係合溝１６Ｒについて説明し、左側壁１１Ｌに設けられた係合溝１６Ｌの説明を省略する。
【００５２】
図１０に示すように、２つの係合溝１６Ｒは、上下方向に延在している。係合溝１６Ｒの正面視右縁には、３つのリブ１７が上下方向に並んで形成されている。係合溝１６Ｒの左右方向の有効幅（正面視左縁とリブ１７との離間距離）は、突起部３７Ｒの先端部３８の左右方向長さと同じか、それよりも僅かに大きくなっている。また、係合溝１６Ｒの上下方向長さは、突起部３７Ｒの先端部３８の上下方向長さよりも長い。したがって、突起部３７Ｒは、係合溝１６Ｒに対して、上下方向（接続部２７ａおよび接続部３２ａの軸方向）に沿って移動可能で、且つ、左右方向にほぼ移動不能に係合される。また、取付部材３５Ｌ、３５Ｒの後端部が本体フレーム１１の固定部１５Ｌ、１５Ｒに固定された状態では、図１２（ｃ）に示すように、突起部３７Ｌ、３７Ｒの下端と後端は、係合溝１６Ｌ、１６Ｒに接触するか、もしくは、僅かな隙間を空けて近接する。
【００５３】
＜室内機１の組立手順＞
室内機１を組み立てる際には、まず、図５に示すように、本体フレーム１１に、室内ファン２１、室内熱交換器２０、吹出口ユニット２８などの内部機器を取り付ける。
そして、図１２（ａ）および図１２（ｂ）に示すように、輻射パネル３０を本体フレーム１１に向かって後方に移動させて、輻射パネル３０の突起部３７Ｌ、３７Ｒを係合溝１６Ｌ、１６Ｒの上側部分に挿入し、突起部３７Ｌ、３７Ｒと係合溝１６Ｌ、１６Ｒとを係合させる。このとき、図１３に示すように、輻射パネル３０の接続部３２ａと、配管２７の接続部２７ａとは、同軸上において離間している。この状態を第１係合状態とする。
【００５４】
次に、図１２（ｃ）に示すように、突起部３７Ｌ、３７Ｒを係合溝１６Ｌ、１６Ｒに係合させた状態のまま、突起部３７Ｌ、３７Ｒを係合溝１６Ｌ、１６Ｒに沿って下方に移動させる。これにより、図６に示すように、輻射パネル３０の接続部３２ａと、配管２７の接続部２７ａとが同軸上で接触する。この状態を第２係合状態とする。
【００５５】
そして、接続部３２ａに設けられたナットを、接続部２７ａのネジ溝に螺合させることで、接続部３２ａと接続部２７ａとを固定する。また、輻射パネル３０の取付部材３５Ｌ、３５Ｒを固定部１５Ｌ、１５Ｒにネジ止めする。その後、吹出口カバー１２と前面グリル２３を本体フレーム１１に固定してから、開閉パネル１３を前面グリル２３に取り付ける。室内機１を分解する際には、上述の組立手順とは逆の手順で行う。
【００５６】
＜室内機１の特徴＞
本実施形態の室内機１では、輻射パネル３０を、室内熱交換器２０等が取り付けられた状態の本体フレーム１１に取り付ける際、突起部３７Ｌ、３７Ｒと係合溝１６Ｌ、１６Ｒとが係合し、且つ、パネル配管３２の接続部３２ａと配管２７の接続部２７ａとが同軸上で離間して配置された状態（第１係合状態）から、突起部３７Ｌ、３７Ｒを係合溝１６Ｌ、１６Ｒに沿って移動させることで、パネル配管３２の接続部３２ａが軸方向に移動して配管２７の接続部２７ａに突き合わされる。したがって、輻射パネル３０の取り付け時に、パネル配管３２の接続部３２ａと配管２７の接続部２７ａの一方が他方の側面と衝突するのを防止できるため、接続部３２ａおよび接続部２７ａの破損を防止できる。
【００５７】
本実施形態の室内機１では、突起部３７Ｌ、３７Ｒが輻射パネル３０の幅方向両端部に設けられているため、突起部３７Ｌ、３７Ｒと係合溝１６Ｌ、１６Ｒとを係合させつつ、輻射パネル３０を係合溝１６Ｌ、１６Ｒに沿って移動させたとき、輻射パネル３０を安定して移動させることができる。
【００５８】
また、本実施形態の室内機１では、配管２７とパネル配管３２ａとを接続することによって、配管２７が、輻射パネル３０と室内熱交換器２０のいずれにも接続される。したがって、配管２７を室外機８に接続すると共に、配管２７において分岐させることで、室外機８から供給された冷媒を輻射パネル３０と室内熱交換器２０に循環供給できる。
【００５９】
また、本実施形態の室内機１では、輻射パネル３０と室内熱交換器２０とが並列に接続されているため、輻射パネル３０が設けられた第２流路に室内電動弁を設けることで、室内熱交換器２０にのみ冷媒を流して輻射パネル３０に冷媒を流さないようにできる。
【００６０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００６１】
突起部３７Ｌ、３７Ｒが、係合溝１６Ｌ、１６Ｒに対して、上下方向に移動可能で且つ左右方向に移動不能に係合するように構成されていれば、突起部３７Ｌ、３７Ｒと係合溝１６Ｌ、１６Ｒの形状は、上記実施形態に限定されるものではない。例えば、リブ１７を設けなくてもよい。
【００６２】
上記実施形態では、輻射パネル３０の左端部に２つの突起部３７Ｌが設けられているが、突起部３７Ｌの数は１つであっても、３つ以上であってもよい。突起部３７Ｒの数についても同様である。なお、係合溝１６Ｌ、１６Ｒの数は突起部３７Ｌ、３７Ｒの数に合わせて設けられる。
【００６３】
上記実施形態では、本体フレーム１１に係合溝１６Ｌ、１６Ｒが設けられ、輻射パネル３０に突起部３７Ｌ、３７Ｒが設けられているが、輻射パネル３０に係合溝が設けられ、本体フレーム１１に突起部が設けられていてもよい。
【００６４】
上記実施形態では、配管２７の接続部２７ａとパネル配管３２の接続部３２ａの軸方向は、上下方向となっているが、上下方向以外の方向であってもよい。例えば、接続部２７ａ、３２ａの軸方向が、前後方向や左右方向であってもよい。接続部２７ａ、３２ａの軸方向が左右方向の場合には、例えば、輻射パネル３０は、後向に突出する突起部を有し、本体フレーム１１は、この突起部が左右方向に移動可能で、且つ、上下方向に移動不能に係合する係合溝を有していてもよい。
【００６５】
上記実施形態では、輻射パネル３０は、室内機１の前面の１／３程度を構成しているが、輻射パネル３０の大きさは、それより大きくても小さくてもよい。例えば、室内機１の前面のほぼ全域が輻射パネル３０で構成されていてもよい。
【００６６】
上記実施形態では、室内機１の主に下部から室内空気を吸い込んで、室内機１の上部から吹き出すように構成されているが、室内機１の上部から吸い込んで下部から吹き出すように構成されていてもよい。
【００６７】
上記実施形態では、床面近傍に設置される床置き室内機１に本発明を適用した例を挙げて説明したが、壁掛け室内機１に本発明を適用してもよい。
【００６８】
上記実施形態では、冷媒回路２において、室内熱交換器２０と輻射パネル３０とが並列に接続された構成の室内機１に本発明を適用した例を挙げて説明したが、室内熱交換器２０と輻射パネル３０とが直列に接続された構成の室内機１に本発明を適用してもよい。
【００６９】
上記実施形態では、室内熱交換器２０および室内ファン２１を備える室内機１に本発明を適用した例を挙げて説明したが、室内熱交換器２０および室内ファン２１を備えない室内機１に本発明を適用してもよい。
【産業上の利用可能性】
【００７０】
本発明を利用すれば、配管の接続部の破損を防止できる。
【符号の説明】
【００７１】
１  室内機
２  冷媒回路
３ａ、３ｂ  連結管
４ａ  第１連結部
４ｂ  第２連結部
５  第１流路
６  第２流路
７ａ  分岐部
７ｂ  合流部
１０  ケーシング
１１  本体フレーム（本体部）
１６Ｌ、１６Ｒ  係合溝（第２係合部、溝）
２０  室内熱交換器
２７  配管（第１冷媒配管、本体部）
２７ａ  接続部（第１接続部）
３０  輻射パネル
３１  輻射板
３２  パネル配管（第２冷媒配管）
３２ａ  第２接続部
３７Ｌ、３７Ｒ  突起部（第１係合部）
【図１】
2012149804.tif 000003
【図２】
2012149804.tif 000004
【図３】
2012149804.tif 000005
【図４】
2012149804.tif 000006
【図５】
2012149804.tif 000007
【図６】
2012149804.tif 000008
【図７】
2012149804.tif 000009
【図８】
2012149804.tif 000010
【図９】
2012149804.tif 000011
【図１０】
2012149804.tif 000012
【図１１】
2012149804.tif 000013
【図１２】
2012149804.tif 000014
【図１３】
2012149804.tif 000015